(57)【特許請求の範囲】
【請求項１】
上面部、左右一対の側面部および前面部の表面に凹凸模様が一体形成された電子楽器の白鍵において、
前記左右一対の側面部と、前記前面部とを、それぞれ板状に構成し、
前記凹凸模様を、
前記白鍵の長手方向に対して±３０度の範囲の角度で略直線状に延びる凹部からなる線状部と、前記白鍵の長手方向に対して±３０度の範囲の角度で略直線状に延びる凸部からなる線状部との少なくとも一方の線状部で構成され、前記上面部に形成された上面模様部と、
前記白鍵の長手方向に延びる凹部からなる線状部と、前記白鍵の長手方向に延びる凸部からなる線状部との少なくとも一方の線状部で構成され、前記左右一対の側面部に形成された一対の側面模様部と、
水平方向に対して傾斜して左右に延びる凹部からなる線状部と、水平方向に対して傾斜して左右に延びる凸部からなる線状部との少なくとも一方の線状部で構成され、前記前面部に形成された前面模様部とで構成し、かつ、
前記一対の側面模様部を構成する各線状部の延びる方向が同じになるようにするとともに、前記上面部、前記左右一対の側面部および前記前面部のうちの隣接する面に形成された線状部の端部どうしが前記隣接する面の縁部で交わるようにしたことを特徴とする電子楽器の鍵。
【請求項２】
上面部、左右一対の側面部および前面部の表面に凹凸模様が一体形成された電子楽器の白鍵において、
前記左右一対の側面部と、前記前面部とを、それぞれ板状に構成し、
前記凹凸模様を、
前記白鍵の長手方向に対して一方から他方に向かい湾曲したのちに一方に戻る凹部からなる線状部と、前記白鍵の長手方向に対して一方から他方に向かい湾曲したのちに一方に戻る凸部からなる線状部との少なくとも一方の線状部で構成され、前記上面部に形成された上面模様部と、
前記白鍵の長手方向に延びる凹部からなる線状部と、前記白鍵の長手方向に延びる凸部からなる線状部との少なくとも一方の線状部で構成され、前記左右一対の側面部に形成された一対の側面模様部と、
左右に延びる凹部からなる線状部と、左右に延びる凸部からなる線状部との少なくとも一方の線状部で構成され、前記前面部に形成された前面模様部とで構成し、かつ、
前記一対の側面模様部を構成する各線状部の延びる方向が同じになるようにするとともに、前記上面部、前記左右一対の側面部および前記前面部のうちの隣接する面に形成された線状部の端部どうしが前記隣接する面の縁部で交わるようにしたことを特徴とする電子楽器の鍵。
【請求項３】
上面部、左右一対の側面部および前面部の表面に凹凸模様が一体形成された電子楽器の白鍵において、
前記左右一対の側面部と、前記前面部とを、それぞれ板状に構成し、
前記凹凸模様を、
前記白鍵の長手方向に対して±３０度の範囲の角度で略直線状に延びる凹部からなる線状部と、前記白鍵の長手方向に対して±３０度の範囲の角度で略直線状に延びる凸部からなる線状部との少なくとも一方の線状部で構成され、前記上面部に形成された上面模様部と、
前記白鍵の長手方向に対して一方から他方に向かい湾曲したのちに一方に戻る凹部からなる線状部と、前記白鍵の長手方向に対して一方から他方に向かい湾曲したのちに一方に戻る凸部からなる線状部との少なくとも一方の線状部で構成され、前記左右一対の側面部に形成された一対の側面模様部と、
上下に延びる凹部からなる線状部と、上下に延びる凸部からなる線状部との少なくとも一方の線状部で構成され、前記前面部に形成された前面模様部とで構成し、かつ、
前記一対の側面模様部を構成する各線状部の湾曲部分の前後方向の向きが同じになるようにするとともに、前記上面部、前記左右一対の側面部および前記前面部のうちの隣接する面に形成された線状部の端部どうしが前記隣接する面の縁部で交わるようにしたことを特徴とする電子楽器の鍵。
【請求項４】
上面部、左右一対の側面部および前面部の表面に凹凸模様が一体形成された電子楽器の白鍵において、
前記左右一対の側面部と、前記前面部とを、それぞれ板状に構成し、
前記凹凸模様を、
前記白鍵の長手方向に延びる凹部からなる線状部と、前記白鍵の長手方向に延びる凸部からなる線状部との少なくとも一方の線状部で構成され、前記上面部に形成された上面模様部と、
前記白鍵の長手方向に延びる凹部からなる線状部と、前記白鍵の長手方向に延びる凸部からなる線状部との少なくとも一方の線状部で構成され、前記左右一対の側面部に形成された一対の側面模様部と、
水平方向に対して傾斜して左右に延びる凹部からなる線状部と、水平方向に対して傾斜して左右に延びる凸部からなる線状部との少なくとも一方の線状部で構成され前記前面部に形成された前面模様部と
で構成し、かつ、
前記上面部、前記左右一対の側面部および前記前面部のうちの隣接する面に形成された線状部の端部どうしが前記隣接する面の縁部で交わるようにしたことを特徴とする電子楽器の鍵。
【請求項５】
上面部、左右一対の側面部および前面部の表面に凹凸模様が一体形成された電子楽器の白鍵において、
前記左右一対の側面部と、前記前面部とを、それぞれ板状に構成し、
前記凹凸模様を、
前記白鍵の長手方向に対して一方から他方に向かい湾曲したのちに一方に戻る凹部からなる線状部と、前記白鍵の長手方向に対して一方から他方に向かい湾曲したのちに一方に戻る凸部からなる線状部との少なくとも一方の線状部で構成され、前記上面部に形成された上面模様部と、
前記白鍵の長手方向に対して一方から他方に向かい湾曲したのちに一方に戻る凹部からなる線状部と、前記白鍵の長手方向に対して一方から他方に向かい湾曲したのちに一方に戻る凸部からなる線状部との少なくとも一方の線状部で構成され、前記左右一対の側面部に形成された一対の側面模様部と、
内側から外側に向かって間隔を保って配置された複数の環状の凹部からなる線状部と、内側から外側に向かって間隔を保って配置された複数の環状の凸部からなる線状部との少なくとも一方の線状部で構成され、前記前面部に形成された前面模様部とで構成し、かつ、
前記上面模様部を構成する線状部と前記一対の側面模様部を構成する各線状部との湾曲部分の前後方向の向きが同じになるようにするとともに、前記上面部、前記左右一対の側面部および前記前面部のうちの隣接する面に形成された線状部の端部どうしが前記隣接する面の縁部で交わるようにしたことを特徴とする電子楽器の鍵。
【発明の詳細な説明】
【技術分野】
【０００１】
本発明は、表面に凹凸模様が形成された電子楽器の白鍵に関する。
【背景技術】
【０００２】
従来から、電子楽器が備える鍵の中には、高級感を出すために、木目模様の凹凸を形成したものがある（例えば、特許文献１参照）。この鍵は、黒鍵を構成しており、射出成形によって成形される。そして、成形後に、鍵の上面と側面とをサンドペーパで削り加工することにより、不規則な断面Ｖ字状の溝からなる木目調の凹凸模様が形成される。また、鍵の前面には、射出成形の際に、木の導管の端面に相当する凹凸模様が形成されている。
【先行技術文献】
【特許文献】
【０００３】
【特許文献１】特開２００９−１６９３６１号公報
【発明の概要】
【０００４】
しかしながら、前述した従来の鍵では、木目調の模様を、サンドペーパで鍵の所定の面を削り加工することにより形成した不規則な断面Ｖ字状の溝で構成しているため、無垢材に近い自然な木目調の凹凸模様を形成することは困難であった。
【０００５】
本発明は、前述した問題に対処するためになされたもので、その目的は、無垢材に近い自然な木目調の凹凸模様を備えた電子楽器の白鍵を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る電子楽器の白鍵の構成上の特徴は、上面部（１１）、左右一対の側面部（１２，１３）および前面部（１４）の表面に凹凸模様が一体形成された電子楽器の白鍵（１０）において、左右一対の側面部と、前面部とを、それぞれ板状に構成し、凹凸模様を、白鍵の長手方向に対して±３０度の範囲の角度で略直線状に延びる凹部からなる線状部と、白鍵の長手方向に対して±３０度の範囲の角度で略直線状に延びる凸部からなる線状部（１５ａ）との少なくとも一方の線状部で構成され、上面部に形成された上面模様部（１５）と、白鍵の長手方向に延びる凹部からなる線状部と、白鍵の長手方向に延びる凸部からなる線状部（１６ａ，１７ａ）との少なくとも一方の線状部で構成され、左右一対の側面部に形成された一対の側面模様部（１６，１７）と、水平方向に対して傾斜して左右に延びる凹部からなる線状部と、水平方向に対して傾斜して左右に延びる凸部からなる線状部（１８ａ）との少なくとも一方の線状部で構成され、前面部に形成された前面模様部（１８）とで構成し、かつ、一対の側面模様部を構成する各線状部の延びる方向が同じになるようにするとともに、上面部、左右一対の側面部および前面部のうちの隣接する面に形成された線状部の端部どうしが隣接する面の縁部で交わるようにしたことにある。
【０００７】
本発明に係る電子楽器の白鍵では、外観として現れる上面に、白鍵の長手方向に対して±３０度の範囲の角度で略直線状に延びる凹部や凸部からなる線状部で構成される上面模様部を形成し、両側面に、白鍵の長手方向に延びる凹部や凸部からなる線状部で構成される側面模様部をそれぞれ形成している。そして、一対の側面模様部を構成する各線状部の延びる方向が同じになるようにしている。このため、白鍵の延びる方向と、白鍵の上面と側面とにそれぞれ形成された凹部や凸部からなる線状部が延びる方向とが略一致するようになり、あたかも本物の材木で白鍵を構成したかのような視覚と触覚とを得ることができる。この場合の線状部の傾斜角度は、好ましくは±２０度に設定することであり、さらに好ましくは±１０度に設定することである。
【０００８】
すなわち、年輪を有する木材における年輪の中心側から外周側にかかる部分を縦方向に切断したときには、その切断面に、縦方向に延びる複数の線からなる柾目模様が現れるが、その柾目模様を構成する各線の間隔は、木材の根に近い方から先端側に行くほど僅かではあるが徐々に狭くなっていく。このため、柾目模様を構成する各線は、木材の延びる方向に対して僅かに傾斜して見える。したがって、白鍵の上面に形成する凹部や凸部からなる線状部を、白鍵の長手方向に対して±３０度の角度の範囲で傾斜させることにより、上面模様部がより本物の木材の柾目模様や追い柾目模様（柾目と板目（年輪の接線方向に切断した面）との中間の形状）に近いものとなる。そして、線状部の傾斜角度が±３０度よりも小さくなるほど、より本物の木材の柾目模様や追い柾目模様に近いものとなる。
【０００９】
また、一対の側面模様部を構成する各線状部の延びる方向を同じにすることにより、両側面が１個の木材で構成されているように見える。そして、この両側面模様部と上面模様部とを模様がつながるように合わせることにより、さらに、無垢材に近い自然な木目調の凹凸模様を得ることができる。また、この電子楽器の白鍵では、凹凸模様が白鍵の表面に形成されているため、視覚だけでなく、触覚においても凹凸やその変化を感じとることができる。なお、白鍵の上面と両側面とに形成される凹部からなる線状部や凸部からなる線状部は、各面に１個だけ形成してもよいが、複数個形成することがより好ましい。また、白鍵の前面には、木目模様と調和のとれる凹凸模様、例えば、格子模様のような工業製品に適した凹凸模様や、木の導管のような凹凸模様を形成することができる。
【００１０】
また、本発明に係る電子楽器の白鍵によると、白鍵の前面に形成された前面模様部が年輪のように現れる。したがって、上面模様部と、両側面模様部に、さらに年輪に似た前面模様部を加えることによって、白鍵全体の外観を無垢材に近いものにすることができる。
【００１１】
本発明に係る電子楽器の白鍵の他の構成上の特徴は、上面部（２１）、左右一対の側面部（２２）および前面部（２４）の表面に凹凸模様が一体形成された電子楽器の白鍵（２０）において、左右一対の側面部と、前面部とを、それぞれ板状に構成し、凹凸模様を、白鍵の長手方向に対して一方から他方に向かい湾曲したのちに一方に戻る凹部からなる線状部と、白鍵の長手方向に対して一方から他方に向かい湾曲したのちに一方に戻る凸部からなる線状部（２５ａ）との少なくとも一方の線状部で構成され、上面部に形成された上面模様部（２５）と、白鍵の長手方向に延びる凹部からなる線状部と、白鍵の長手方向に延びる凸部からなる線状部（２６ａ）との少なくとも一方の線状部で構成され、左右一対の側面部に形成された一対の側面模様部（２６）と、左右に延びる凹部からなる線状部と、左右に延びる凸部からなる線状部（２８ａ，２８ｂ）との少なくとも一方の線状部で構成され、前面部に形成された前面模様部（２８）とで構成し、かつ、一対の側面模様部を構成する各線状部の延びる方向が同じになるようにするとともに、上面部、左右一対の側面部および前面部のうちの隣接する面に形成された線状部の端部どうしが隣接する面の縁部で交わるようにしたことにある。
【００１２】
本発明に係る電子楽器の白鍵では、外観として現れる上面に、鍵の長手方向に対して一方から他方に向かい湾曲したのちに一方に戻る凹部や凸部からなる線状部で構成される上面模様部を形成し、両側面に、白鍵の長手方向に延びる凹部や凸部からなる線状部で構成される側面模様部をそれぞれ形成している。そして、一対の側面模様部を構成する各線状部の延びる方向が同じになるようにしている。このため、あたかも本物の材木で鍵を構成したかのような視覚と触覚とを得ることができる。
【００１３】
すなわち、上面模様部は、年輪を有する木材を年輪の接線方向に縦方向に切断したときに現れる板目模様のように見え、一対の側面模様部は、それぞれ表裏両面が板目模様になるように木材を切断したときのその板材の両側の断面に現れる柾目模様や追い柾目模様のように見える。これによって、年輪に酷似した凹凸模様を、白鍵の上面と両側面とに形成することができ、無垢材に近い自然な木目調の凹凸模様を備えた白鍵を得ることができる。また、本発明においても、凹凸模様が白鍵の表面に形成されているため、視覚だけでなく、触覚においても凹凸やその変化を感じとることができる。なお、白鍵の上面と両側面とに形成される凹部からなる線状部や凸部からなる線状部は、各面に１個だけ形成してもよいが、複数個形成することがより好ましい。また、白鍵の前面には、木目模様と調和のとれる凹凸模様、例えば、格子模様のような工業製品に適した凹凸模様や木の導管のような凹凸模様を形成することができる。
【００１４】
また、本発明に係る電子楽器の白鍵によると、白鍵の前面に形成された前面模様部が年輪のように現れる。したがって、上面模様部と、両側面模様部に、さらに年輪に似た前面模様部を加えることによって、白鍵全体の外観を無垢材に近いものにすることができる。なお、この場合の左右に延びる線状部としては、水平方向に延びる線状部であってもよいし、上方または下方に湾曲しながら左右に延びる線状部であってもよい。
【００１５】
本発明に係る電子楽器の白鍵のさらに他の構成上の特徴は、上面部（３１）、左右一対の側面部（３２，３３）および前面部（３４）の表面に凹凸模様が一体形成された電子楽器の白鍵（３０）において、左右一対の側面部と、前面部とを、それぞれ板状に構成し、凹凸模様を、白鍵の長手方向に対して±３０度の範囲の角度で略直線状に延びる凹部からなる線状部と、白鍵の長手方向に対して±３０度の範囲の角度で略直線状に延びる凸部からなる線状部（３５ａ）との少なくとも一方の線状部で構成され、上面部に形成された上面模様部（３５）と、白鍵の長手方向に対して一方から他方に向かい湾曲したのちに一方に戻る凹部からなる線状部と、白鍵の長手方向に対して一方から他方に向かい湾曲したのちに一方に戻る凸部からなる線状部（３６ａ，３７ａ）との少なくとも一方の線状部で構成され、左右一対の側面部に形成された一対の側面模様部（３６，３７）と、上下に延びる凹部からなる線状部と、上下に延びる凸部からなる線状部（３８ａ，３８ｂ）との少なくとも一方の線状部で構成され、前面部に形成された前面模様部（３８）とで構成し、かつ、一対の側面模様部を構成する各線状部の湾曲部分の前後方向の向きが同じになるようにするとともに、上面部、左右一対の側面部および前面部のうちの隣接する面に形成された線状部の端部どうしが隣接する面の縁部で交わるようにしたことにある。
【００１６】
本発明に係る電子楽器の白鍵では、外観として現れる上面に、白鍵の長手方向に対して±３０度の範囲の角度で略直線状に延びる凹部や凸部からなる線状部で構成される上面模様部を形成し、両側面に、白鍵の長手方向に対して一方から他方に向かい湾曲したのちに一方に戻る凹部や凸部からなる線状部で構成される側面模様部をそれぞれ形成している。そして、一対の側面模様部を構成する各線状部の湾曲部分の前後方向の向きが同じになるようにしている。このため、あたかも本物の材木で鍵を構成したかのような視覚と触覚とを得ることができる。この場合、上面模様部を構成する線状部の傾斜角度は±２０度に設定することが好ましく、より好ましくは±１０度に設定することである。これによって、凹凸模様がさらに本物の木材の模様に近いものとなる。
【００１７】
すなわち、上面模様部は、柾目模様や追い柾目模様のように現れ、一対の側面模様部は、それぞれ板目模様のように現れる。これによって、無垢材に近い自然な木目調の凹凸模様を得ることができる。また、本発明においても、凹凸模様が白鍵の表面に形成されているため、視覚だけでなく、触覚においても凹凸やその変化を感じとることができる。なお、白鍵の上面と両側面とに形成される凹部からなる線状部や凸部からなる線状部は、各面に１個だけ形成してもよいが、複数個形成することがより好ましい。また、白鍵の前面には、木目模様と調和のとれる凹凸模様、例えば、格子模様のような工業製品に適した凹凸模様や木の導管のような凹凸模様を形成することができる。
【００１８】
また、本発明に係る電子楽器の白鍵によると、白鍵の前面に形成された前面模様部が年輪のように現れる。したがって、上面模様部と、両側面模様部に、さらに年輪に似た前面模様部を加えることによって、白鍵全体の外観を無垢材に近いものにすることができる。この場合の上下に延びる線状部としては、垂直方向に延びる線状部であってもよいし、左右に湾曲しながら上下に延びる線状部であってもよい。
【００１９】
本発明に係る電子楽器の白鍵のさらに他の構成上の特徴は、上面部（４１）、左右一対の側面部（４２，４３）および前面部（４４）の表面に凹凸模様が一体形成された電子楽器の白鍵（４０）において、左右一対の側面部と、前面部とを、それぞれ板状に構成し、凹凸模様を、白鍵の長手方向に延びる凹部からなる線状部と、白鍵の長手方向に延びる凸部からなる線状部（４５ａ）との少なくとも一方の線状部で構成され、上面部に形成された上面模様部（４５）と、白鍵の長手方向に延びる凹部からなる線状部と、白鍵の長手方向に延びる凸部からなる線状部（４６ａ，４７ａ）との少なくとも一方の線状部で構成され、左右一対の側面部に形成された一対の側面模様部（４６，４７）と、水平方向に対して傾斜して左右に延びる凹部からなる線状部と、水平方向に対して傾斜して左右に延びる凸部からなる線状部（４８ａ）との少なくとも一方の線状部で構成され前面部に形成された前面模様部（４８）とで構成し、かつ、上面部、左右一対の側面部および前面部のうちの隣接する面に形成された線状部の端部どうしが隣接する面の縁部で交わるようにしたことにある。
【００２０】
本発明に係る電子楽器の白鍵では、上面に、白鍵の長手方向に延びる凹部や凸部からなる線状部で構成される上面模様部を形成するとともに、両側面に、白鍵の長手方向に延びる凹部や凸部からなる線状部で構成される側面模様部を形成している。そして、白鍵の前面に、水平方向に対して傾斜して延びる凹部や凸部からなる線状部で構成される前面模様部を形成している。このため、あたかも本物の材木で鍵を構成したかのような視覚と触覚とを得ることができる。すなわち、上面模様部と側面模様部とは、柾目模様や追い柾目模様のように現れ、前面模様部は、年輪模様のように現れる。したがって、上面模様部、両側面模様部および前面模様部の全体の外観が一体となって無垢材に近い自然な木目調の凹凸模様になる。また、本発明においても、凹凸模様が鍵の表面に形成されているため、視覚だけでなく、触覚においても凹凸やその変化を感じとることができる。
【００２１】
本発明に係る電子楽器の白鍵のさらに他の構成上の特徴は、上面部（５１）、左右一対の側面部（５２）および前面部（５４）の表面に凹凸模様が一体形成された電子楽器の白鍵（５０）において、左右一対の側面部と、前面部とを、それぞれ板状に構成し、凹凸模様を、白鍵の長手方向に対して一方から他方に向かい湾曲したのちに一方に戻る凹部からなる線状部と、白鍵の長手方向に対して一方から他方に向かい湾曲したのちに一方に戻る凸部からなる線状部（５５ａ）との少なくとも一方の線状部で構成され、上面部に形成された上面模様部（５５）と、白鍵の長手方向に対して一方から他方に向かい湾曲したのちに一方に戻る凹部からなる線状部と、白鍵の長手方向に対して一方から他方に向かい湾曲したのちに一方に戻る凸部からなる線状部（５６ａ）との少なくとも一方の線状部で構成され、左右一対の側面部に形成された一対の側面模様部（５６）と、内側から外側に向かって間隔を保って配置された複数の環状の凹部からなる線状部と、内側から外側に向かって間隔を保って配置された複数の環状の凸部からなる線状部（５８ａ）との少なくとも一方の線状部で構成され、前面部に形成された前面模様部（５８）とで構成し、かつ、上面模様部を構成する線状部と一対の側面模様部を構成する各線状部との湾曲部分の前後方向の向きが同じになるようにするとともに、上面部、左右一対の側面部および前面部のうちの隣接する面に形成された線状部の端部どうしが隣接する面の縁部で交わるようにしたことにある。
【００２２】
本発明に係る電子楽器の白鍵では、上面に、白鍵の長手方向に対して一方から他方に向かい湾曲したのちに一方に戻る凹部や凸部からなる線状部で構成される上面模様部が形成されるとともに、両側面に、白鍵の長手方向に対して一方から他方に向かい湾曲したのちに一方に戻る凹部や凸部からなる線状部で構成される側面模様部が形成されている。そして、上面模様部および両側面模様部を構成する各線状部の湾曲部分の前後方向の向きが同じになるようにしている。また、白鍵の前面には、内側から外側に向かって間隔を保って配置された複数の環状の凹部や凸部からなる線状部で構成される前面模様部が形成されている。
【００２３】
このため、上面模様部および両側面模様部で板目模様の風合いを表現でき、前面模様部で年輪の風合いを表現できる。したがって、上面模様部、両側面模様部および前面模様部の全体の外観が一体となって無垢材に近い自然な木目調の凹凸模様になる。また、本発明においても、凹凸模様が白鍵の表面に形成されているため、視覚だけでなく、触覚においても凹凸やその変化を感じとることができる。
【００２４】
本発明に係る電子楽器の白鍵によると、白鍵の各面に形成され各面の縁部に到達する各線状部が隣接する面に形成された線状部と繋がるため、白鍵の凹凸模様が、さらに実際の無垢材の表面に現れる模様に近いものになる。また、線状部を、特に凹部で構成した場合には、演奏時に、演奏者の汗が白鍵の上面に落ちると、その汗は、上面の線状部から側面の線状部に伝わって流れていく。
【図面の簡単な説明】
【００２５】
【図１】本発明の第１実施形態に係る白鍵を示した斜視図である。
【図２】図１に示した白鍵の上面に形成された上面模様部を示した拡大図である。
【図３】図１に示した白鍵の両側面に形成された側面模様部を示した拡大図である。
【図４】図１に示した白鍵の前面に形成された前面模様部を示した拡大図である。
【図５】本発明の第２実施形態に係る白鍵を示した斜視図である。
【図６】図５に示した白鍵の前面に形成された前面模様部を示した拡大図である。
【図７】第２実施形態の変形例に係る白鍵の前面に形成された前面模様部を示した拡大図である。
【図８】本発明の第３実施形態に係る白鍵を示した斜視図である。
【図９】図８に示した白鍵の両側面に形成された側面模様部を示した拡大図である。
【図１０】図８に示した白鍵の前面に形成された前面模様部を示した拡大図である。
【図１１】第３実施形態の変形例に係る白鍵の前面に形成された前面模様部を示した拡大図である。
【図１２】本発明の第４実施形態に係る白鍵を示した斜視図である。
【図１３】図１２に示した白鍵の両側面に形成された側面模様部を示した拡大図である。
【図１４】図１２に示した白鍵の前面に形成された前面模様部を示した拡大図である。
【図１５】本発明の第５実施形態に係る白鍵を示した斜視図である。
【図１６】図１５に示した白鍵の前面に形成された前面模様部を示した拡大図である。
【発明を実施するための形態】
【００２６】
（第１実施形態）
以下、本発明の第１実施形態に係る電子楽器の鍵を図面を用いて説明する。図１は、同実施形態に係る白鍵１０を示している。この白鍵１０は、電子楽器（図示せず）の上面における手前側（演奏者側）に黒鍵とともに複数個並べられるもので、それぞれ長手方向を前後に向けて設置される。この白鍵１０は、硬質の合成樹脂を一体成形することにより形成されており、上面部１１と、左右一対の側面部１２，１３（図３参照）と前面部１４とで構成されている。上面部１１の左側部の後部側には黒鍵を配置するための切り欠き凹部１１ａが形成され、上面部１１の上面後端には、前部側よりも低くなった段部１１ｂが形成されている。この段部１１ｂは、白鍵１０を電子楽器の本体に揺動可能に支持させる際に用いられる。なお、前記切り欠き凹部１１ａの位置は鍵盤における白鍵が割り当てられる位置によって異り、黒鍵に隣接しない白鍵には切り欠き凹部は設けられていない。
【００２７】
側面部１２は、Ｌ形の板状部分で構成されており、Ｌ形の長辺側の外縁部を上面部１１の右側部に沿わせて、上面部１１に一体的に組付けられている。また、側面部１３は、側面視が側面部１２と同じＬ形に形成されており、上縁部を上面部１１の左側部の前部側と切り欠き凹部１１ａの縁部に沿わせた段違い状の板状部分で構成されている。前面部１４は、上面部１１の先端縁部よりも僅かに後方部分から下方に延びる略正方形の板状部分で構成されており、右側部は側面部１２の前端部に連結され、左側部は側面部１３の前端部に連結されている。
【００２８】
白鍵１０の上面部１１の表面には、上面模様部１５が形成され、側面部１２，１３の表面には、それぞれ左右対称の側面模様部１６，１７が形成されている。また、前面部１４の表面には前面模様部１８が形成されている。上面模様部１５は、白鍵１０の前後方向に延びる線状凸部１５ａを左右に間隔を保って複数配置することによって凹凸のある柾目模様に形成されている。各線状凸部１５ａは、略直線状に延びており、図２に矢印ａで示した白鍵１０（上面部１１）の長手方向に対する角度ｂが３０度以内になる範囲で傾斜している。すなわち、上面部１１に形成された上面模様部１５を構成する各線状凸部１５ａは、手前側から見た状態で、前部よりも後部が右側に位置するように傾斜している。
【００２９】
側面部１２に形成された側面模様部１６は、図３に示したように、下方に緩やかに湾曲しながら白鍵１０の前方から後方に延びる線状凸部１６ａを上下に間隔を保って複数配置することによって凹凸のある追い柾目模様に形成され、側面部１３に形成された側面模様部１７も、下方に緩やかに湾曲しながら白鍵１０の前方から後方に延びる線状凸部１７ａを上下に間隔を保って複数配置することによって凹凸のある追い柾目模様に形成されている。この側面模様部１６を構成する各線状凸部１６ａと、側面模様部１７を構成する各線状凸部１７ａとは、ともに手前側から見た状態で、前部よりも後部が下側に位置するように傾斜しており、一方の側面側から見た状態では、各線状凸部１６ａと、各線状凸部１７ａとは重なる位置にある。なお、図３では、側面模様部１７および各線状凸部１７ａを明確に示すために、上面模様部１５および前面模様部１８の図示は省略している。
【００３０】
また、上面模様部１５を構成する線状凸部１５ａのうちの右側の端部が上面部１１の右側の縁部に到達している線状凸部１５ａと、側面模様部１６を構成する線状凸部１６ａのうちの上側の端部が側面部１２の上側の縁部に到達している線状凸部１６ａとは、上面部１１と側面部１２とが交わる縁部で繋がっている。同様に、上面模様部１５を構成する線状凸部１５ａのうちの左側の端部が上面部１１の左側の縁部に到達している線状凸部１５ａと、側面模様部１７を構成する線状凸部１７ａのうちの上側の端部が側面部１３の上側の縁部に到達している線状凸部１７ａとは、上面部１１と側面部１３とが交わる縁部で繋がっている。
【００３１】
前面部１４に形成された前面模様部１８は、図４に示したように、水平方向に対して、左側よりも右側が下方に位置するように傾斜して左右に延びる線状凸部１８ａを上下に間隔を保って複数配置することによって凹凸のある年輪模様に形成されている。この線状凸部１８ａのうちの上側の端部が、前面部１４の上側の縁部に到達している線状凸部１８ａと、上面模様部１５を構成する線状凸部１５ａのうちの前側の端部が上面部１１前側の縁部に到達している線状凸部１５ａとは、前面部１４と上面部１１とが交わる縁部で繋がっている。
【００３２】
そして、線状凸部１８ａのうちの右側の端部が、前面部１４の右側の縁部に到達している線状凸部１８ａと、側面模様部１６を構成する線状凸部１６ａのうちの前側の端部が側面部１２の前側の縁部に到達している線状凸部１６ａとは、前面部１４と側面部１２とが交わる縁部で繋がり、線状凸部１８ａのうちの左側の端部が、前面部１４の左側の縁部に到達している線状凸部１８ａと、側面模様部１７を構成する線状凸部１７ａのうちの前側の端部が側面部１３の前側の縁部に到達している線状凸部１７ａとは、前面部１４と側面部１３とが交わる縁部で繋がっている。
【００３３】
各線状凸部１５ａ〜１８ａにおける上面部１１、側面部１２，１３および前面部１４のそれぞれの表面平坦部１９からの突出長さは、それぞれ０．０１ｍｍ〜１ｍｍ、好ましくは０．０２ｍｍ〜０．５ｍｍ、さらに好ましくは０．０５ｍｍ〜０．３ｍｍに設定されている。また、各線状凸部１５ａの間隔はそれぞれ０．０３ｍｍ〜２２ｍｍ、好ましくは０．０５ｍｍ〜１２ｍｍ、さらに好ましくは０．０８ｍｍ〜８ｍｍに設定され、各線状凸部１６ａ，１７ａの間隔はそれぞれ０．０３ｍｍ〜２２ｍｍ、好ましくは０．０５ｍｍ〜１２ｍｍ、さらに好ましくは０．０８ｍｍ〜８ｍｍに設定され、各線状凸部１８ａの間隔はそれぞれ０．０３ｍｍ〜２２ｍｍ、好ましくは０．０５ｍｍ〜１２ｍｍ、さらに好ましくは０．０８ｍｍ〜８ｍｍに設定されている。上面模様部１５、側面模様部１６，１７および前面模様部１８は、このように間隔を保った複数の線状凸部１５ａ〜１８ａでそれぞれ構成されているため、実際の無垢材の表面に現れる自然な木目模様のように見える。
【００３４】
なお、この白鍵１０を一体成形する射出成形機には、固定型と可動型とからなる金型が備わっており、金型の成形面に、上面模様部１５、側面模様部１６，１７および前面模様部１８に対応する凹凸模様、すなわち、上面模様部１５、側面模様部１６，１７および前面模様部１８と凹凸が逆になる凹凸模様が形成されている。このため、白鍵１０の成形が容易になる。
【００３５】
また、白鍵１０が備わった電子楽器を演奏する際には、まず、上面部１１に形成された上面模様部１５と前面部１４に形成された前面模様部１８とが見え、押鍵操作をしたときに、隣の白鍵１０の側面部１２，１３に形成された側面模様部１６，１７が見える。このため、電子楽器の美観が向上するとともに、押鍵操作の際に、上面模様部１５、側面模様部１６，１７および前面模様部１８が変化して見えるようになり、演奏が楽しくなる。また、押鍵時に、指が上面部１１の上面模様部１５に触れることによっても、触感に変化が生じて興趣に富むものとなる。
【００３６】
このように、本実施形態に係る白鍵１０では、白鍵１０の延びる方向と、白鍵１０の上面部１１と側面部１２，１３とにそれぞれ形成された線状凸部１５ａ〜１７ａが延びる方向とが略一致するとともに、白鍵１０の前面部１４に形成された前面模様部１８が年輪のように見える。そして、上面部１１、側面部１２，１３および前面部１４のうちの隣接する面に形成された線状凸部１５ａ〜１８ａの端部どうしが隣接する面の縁部で交わっている。このため、白鍵１０をあたかも本物の材木で構成したかのような視覚と触覚とを得ることができる。また、この白鍵１０では、上面模様部１５、側面部１２，１３および前面部１４がそれぞれ白鍵１０の表面に形成されているため、視覚だけでなく、触覚においても凹凸やその変化を感じとることができる。さらに、演奏時に、演奏者の汗が鍵の上面に落ちると、その汗は、上面部１１の線状凸部１５ａから側面部１２，１３の線状凸部１６ａ，１７ａに伝わって流れていく。
【００３７】
なお、本実施形態では、前面部１４にも木目調の前面模様部１８を設けているが、前面部１４に形成する前面模様部１８は、他の凹凸模様で構成してもよい。例えば、格子状の凹凸模様や木の導管のような凹凸模様で前面模様部を構成することができる。また、本実施形態では、上面模様部１５等を、線状凸部１５ａ〜１８ａで構成しているが、線状凸部１５ａ〜１８ａに代えて、溝状の線状凹部で上面模様部１５等を構成してもよい。さらに、上面模様部１５等を線状凸部１５ａ〜１８ａと線状凹部との双方を含む形状にしてもよい。
【００３８】
また、各線状凸部１５ａ〜１８ａが白鍵１０に対して傾く方向は、前述した方向と逆方向であってもよい。さらに、白鍵１０を成形する際に、二色の樹脂材料を用いて、白鍵１０の色が部分的に異なるようにしてもよい。例えば、薄い茶色の樹脂材料とやや濃い茶色の樹脂材料とを用いると、上面模様部１５等がより一層木材の木目模様に近づく。また、上面部１１、側面部１２，１３および前面部１４のうちの隣接する面に形成された線状凸部１５ａ〜１８ａの端部どうしが隣接する面の縁部で交わらないようにすることもできる。さらに、この上面模様部１５等を形成する鍵は、白鍵１０でなく、黒鍵にしてもよいし、白鍵１０と黒鍵との双方にしてもよい。
【００３９】
（第２実施形態）
図５は、本発明の第２実施形態に係る白鍵２０を示している。この白鍵２０では、上面部２１の表面に、上面模様部２５が形成され、左右一対の側面部２２（一方しか図示せず）の表面には、それぞれ左右対称の側面模様部２６が形成されている。また、前面部２４の表面には前面模様部２８が形成されている。上面模様部２５は、白鍵２０の前部側から後部側に延びたのちに湾曲して前部側に戻る線状凸部２５ａを前後に間隔を保って複数配置することによって凹凸のある板目模様に形成されている。すなわち、上面模様部２５においては、上面部２１の左右方向の中央側に位置する線状凸部２５ａの湾曲部よりも外部側に位置する線状凸部２５ａの湾曲部の方が後方に位置するようにして複数の線状凸部２５ａが配置されている。
【００４０】
また、一方の側面部２２（図５の手前側に位置する側面部）に形成された側面模様部２６は、下方に緩やかに湾曲しながら白鍵２０の前方から後方に延びる線状凸部２６ａを上下に間隔を保って複数配置することによって凹凸のある追い柾目模様に形成され、他方の側面部２２に形成された側面模様部２６も、下方に緩やかに湾曲しながら白鍵２０の前方から後方に延びる線状凸部２６ａを上下に間隔を保って複数配置することによって凹凸のある追い柾目模様に形成されている。
【００４１】
両側面模様部２６を構成する各線状凸部２６ａは、図３に示した各線状凸部１６ａ，１７ａと同様の構成をしている。そして、一方の側方から見た状態では、両側面模様部２６の各線状凸部２６ａは重なる位置にある。また、上面模様部２５を構成する線状凸部２５ａのうちの端部が上面部２１の左右の縁部に到達している線状凸部２５ａと、両側面模様部２６を構成する線状凸部２６ａのうちの上側の端部が両側面部２２の上側の縁部に到達している線状凸部２６ａとは、上面部２１と両側面部２２とが交わる縁部でそれぞれ繋がっている。
【００４２】
前面部２４に形成された前面模様部２８は、図６に示したように、中央側が上方に凸状になって左右方向に延びる線状凸部２８ａを上下に間隔を保って複数配置することによって凹凸のある年輪模様に形成されている。この線状凸部２８ａのうちの上側の端部が、前面部２４の上側の縁部に到達している線状凸部２８ａと、上面模様部２５を構成する線状凸部２５ａのうちの前側の端部が上面部２１前側の縁部に到達している線状凸部２５ａとは、前面部２４と上面部２１とが交わる縁部で繋がっている。
【００４３】
そして、線状凸部２８ａのうちの端部が、前面部２４の左右の縁部に到達している線状凸部２８ａと、両側面模様部２６を構成する線状凸部２６ａのうちの前側の端部が両側面部２２の前側の縁部に到達している線状凸部２６ａとは、前面部２４と両側面部２２とそれぞれが交わる縁部で繋がっている。この白鍵２０のそれ以外の部分の構成については、前述した白鍵１０と同一である。したがって、同一部分に同一符号を記して説明は省略する。
【００４４】
このように、本実施形態に係る白鍵２０では、上面部２１に板目模様の凹凸からなる上面模様部２５を形成し、両側面部２２に追い柾目模様の凹凸からなる側面模様部２６を形成し、前面部２４に年輪模様の凹凸からなる前面模様部２８を形成している。そして、上面部２１、両側面部２２および前面部２４のうちの隣接する面に形成された線状部２５ａ，２６ａ，２８ａの端部どうしが隣接する面の縁部で交わるようにしている。このため、あたかも本物の材木で白鍵２０を構成したかのような視覚と触覚とを得ることができる。この白鍵２０におけるそれ以外の作用効果については、前述した第１実施形態に係る白鍵１０と同様である。
【００４５】
なお、本実施形態では、前面模様部２８を、図６に示したように、中央側が上方に凸状になって左右方向に延びる複数の線状凸部２８ａで構成しているが、これに代えて、図７に示したように、水平方向に真っ直ぐに延びる線状凸部２８ｂを上下に間隔を保って複数配置することによって前面模様部２８を構成してもよい。また、前面部２４に形成する前面模様部２８は、格子模様のような凹凸模様や、木の導管のような凹凸模様で構成してもよい。さらに、各線状凸部２５ａの湾曲部分が白鍵２０に対して向く方向は、前述した方向と逆方向であってもよい。また、本実施形態は、前述した第１実施形態において説明した各変形例と同じように、変形することができる。
【００４６】
（第３実施形態）
図８は、本発明の第３実施形態に係る白鍵３０を示している。この白鍵３０では、上面部３１の表面に、上面模様部３５が形成され、側面部３２，３３（図９参照）の表面には、それぞれ左右対称の側面模様部３６，３７が形成されている。また、前面部３４の表面には前面模様部３８が形成されている。上面模様部３５は、図２に示した上面模様部１５と同様の構成をしており、白鍵３０の前後方向に延びる線状凸部３５ａを左右に間隔を保って複数配置することによって凹凸のある柾目模様に形成されている。各線状凸部３５ａは、略直線状に延びており、白鍵３０の長手方向に対する角度が３０度以内になる範囲で傾斜している。
【００４７】
側面模様部３６は、白鍵３０の前部から後部に延びたのちに湾曲して前部に戻る湾曲した線状凸部３６ａを前後に間隔を保って複数配置することによって凹凸のある板目模様に形成されている。すなわち、側面模様部３６においては、側面部３２の上下方向の中央側に位置する線状凸部３６ａの湾曲部よりも外部側に位置する線状凸部３６ａの湾曲部の方が後方に位置するようにして複数の線状凸部３６ａが配置されている。また、側面部３３に形成された側面模様部３７も、白鍵３０の前部から後部に延びたのちに湾曲して前部に戻る湾曲した線状凸部３７ａを間隔を保って複数配置することによって凹凸のある板目模様に形成されている。この側面模様部３６を構成する各線状凸部３６ａと、側面模様部３７を構成する各線状凸部３７ａとを、一方の側方から見た状態では、各線状凸部３６ａと、各線状凸部３７ａとは略重なる位置にある。
【００４８】
なお、図９では、側面模様部３７および各線状凸部３７ａを明確に示すために、上面模様部３５と前面模様部３８との図示は省略している。また、上面部３１の右側の縁部に端部が到達している線状凸部３５ａと、側面部３２の上側の縁部に端部が到達している線状凸部３６ａとは、上面部３１と側面部３２とが交わる縁部で繋がり、上面部３１の左側の縁部に端部が到達している線状凸部３５ａと、側面部３３の上側の縁部に端部が到達している線状凸部３７ａとは、上面部３１と側面部３３とが交わる縁部で繋がっている。
【００４９】
前面部３４に形成された前面模様部３８は、図１０に示したように、中央側が左側に凸状になるように湾曲して上下に延びる線状凸部３８ａを左右に間隔を保って複数配置することによって凹凸のある年輪模様に形成されている。この線状凸部３８ａのうちの上側の端部が、前面部３４の上側の縁部に到達している線状凸部３８ａと、上面部３１の前側の縁部に端部が到達している線状凸部３５ａとは、前面部３４と上面部３１とが交わる縁部で繋がっている。
【００５０】
そして、前面部３４の右側の縁部に端部が到達している線状凸部３８ａと、側面部３２の前側の縁部に端部が到達している線状凸部３６ａとは、前面部３４と側面部３２とが交わる縁部で繋がり、前面部３４の左側の縁部に端部が到達している線状凸部３８ａと、側面部３３の前側の縁部に端部が到達している線状凸部３７ａとは、前面部３４と側面部３３とが交わる縁部で繋がっている。この白鍵２０のそれ以外の部分の構成については、前述した白鍵１０と同一である。したがって、同一部分に同一符号を記して説明は省略する。
【００５１】
このように、本実施形態に係る白鍵３０では、上面部３１に柾目模様の凹凸からなる上面模様部３５を形成し、側面部３２，３３に板目模様の凹凸からなる側面模様部３６，３７を形成し、前面部３４に年輪模様の凹凸からなる前面模様部３８を形成している。そして、上面部３１、側面部３２，３３および前面部３４のうちの隣接する面に形成された線状凸部３５ａ〜３８ａの端部どうしが隣接する面の縁部で交わるようにしている。このため、あたかも本物の無垢材で白鍵３０を構成したかのような視覚と触覚とを得ることができる。この白鍵３０におけるそれ以外の作用効果については、前述した第１実施形態に係る白鍵１０と同様である。
【００５２】
なお、本実施形態では、前面模様部３８を、図１０に示したように、中央側が左側に凸状になるように湾曲して上下方向に延びる複数の線状凸部３８ａで構成しているが、これに代えて、図１１に示したように、垂直方向に真っ直ぐに延びる線状凸部３８ｂを左右に間隔を保って複数配置することによって前面模様部３８を構成してもよい。また、本実施形態は、前述した第１実施形態において説明した各変形例と同じように、変形することができる。さらに、本実施形態では、側面模様部３６を構成する各線状凸部３６ａと、側面模様部３７を構成する各線状凸部３７ａとが、一方の側方から見た状態で略重なる位置にあるようにしているが、側面模様部３６と側面模様部３７とは、１本の木材の両側面に形成される模様として違和感を生じない範囲であれば互いにずれていてもよい。
【００５３】
（第４実施形態）
図１２は、本発明の第４実施形態に係る白鍵４０を示している。この白鍵４０では、上面部４１の表面に、上面模様部４５が形成され、側面部４２，４３（図１３参照）の表面には、それぞれ左右対称の側面模様部４６，４７が形成されている。また、前面部４４の表面には前面模様部４８が形成されている。上面模様部４５は、白鍵４０の前後方向に延びる線状凸部４５ａを左右に間隔を保って複数配置することによって凹凸のある柾目模様に形成されている。
【００５４】
側面模様部４６は、白鍵４０の前後方向に延びる線状凸部４６ａを上下に間隔を保って複数配置することによって凹凸のある柾目模様に形成され、側面模様部４７も、白鍵４０の前後方向に延びる線状凸部４７ａを上下に間隔を保って複数配置することによって凹凸のある柾目模様に形成されている。そして、前面模様部４８は、図１４に示したように、前面部４４の右上から左下に延びる線状凸部４８ａを上下に間隔を保って複数配置することによって凹凸のある年輪模様に形成されており、各線状凸部４８ａは、中央側が右下方に凸状になる湾曲した線状に形成されている。
【００５５】
また、各線状凸部４８ａにおける前面部４４の下側の縁部を除いた各縁部に到達している各端部は、それぞれ上面部４１および側面部４２，４３に形成された線状凸部４５ａ〜４７ａの対応する端部と、前面部４４と、上面部４１および側面部４２，４３のいずれかとが交わる縁部で繋がっている。この白鍵４０のそれ以外の部分の構成については、前述した白鍵１０と同一である。したがって、同一部分に同一符号を記して説明は省略する。
【００５６】
このように、本実施形態に係る白鍵４０では、上面部４１および側面部４２，４３にそれぞれ柾目模様の凹凸からなる上面模様部４５および側面模様部４６，４７を形成し、前面部４４に年輪模様の凹凸からなる前面模様部４８を形成している。そして、上面部４１、側面部４２，４３に形成された線状凸部４５ａ〜４７ａと、前面部４４に形成された線状凸部４８ａとの端部どうしが隣接する面の縁部で交わるようにしている。このため、あたかも本物の無垢材で白鍵４０を構成したかのような視覚と触覚とを得ることができる。この白鍵４０におけるそれ以外の作用効果については、前述した第１実施形態に係る白鍵１０と同様である。なお、本実施形態も、前述した第１実施形態において説明した各変形例と同じように、変形することができる。
【００５７】
（第５実施形態）
図１５は、本発明の第５実施形態に係る白鍵５０を示している。この白鍵５０では、上面部５１の表面に、上面模様部５５が形成され、左右一対の側面部５２（一方しか図示せず）の表面には、それぞれ左右対称の側面模様部５６が形成されている。また、前面部５４の表面には前面模様部５８が形成されている。上面模様部５５は、白鍵５０の前部から後部に延びたのちに湾曲して前部に戻る湾曲した線状凸部５５ａを前後に間隔を保って複数配置することによって凹凸のある板目模様に形成されている。すなわち、上面模様部５５においては、上面部５１の左右方向の中央側に位置する線状凸部５５ａの湾曲部よりも外部側に位置する線状凸部５５ａの湾曲部の方が後方に位置するようにして複数の線状凸部５５ａが配置されている。
【００５８】
一対の側面模様部５６は、ともに白鍵５０の前部から後部に延びたのちに湾曲して前部に戻る湾曲した線状凸部５６ａを前後に間隔を保って複数配置することによって凹凸のある板目模様に形成されており、側面部５２の上下方向の中央側に位置する線状凸部５６ａの湾曲部よりも外部側に位置する線状凸部５６ａの湾曲部の方が後方に位置するようにして複数の線状凸部５５ａが配置されている。この一対の側面模様部５６を構成する各線状凸部５６ａは、図９に示した各線状凸部３６ａ，３７ａと同様の構成をしており、両側面模様部５６を構成する各線状凸部５６ａを、一方の側方から見た状態では、両側面模様部５６の各線状凸部５６ａは略重なる位置にある。また、線状凸部３５ａと、線状凸部３６ａとのそれぞれ隣接する面の縁部に到達する端部どうしはその縁部で繋がっている。
【００５９】
前面部５４に形成された前面模様部５８は、図１６に示したように、中央側が小さく外周側に行くほど大きくなった複数の環状の線状凸部５８ａを間隔を保って配置することによって凹凸のある年輪模様に形成されている。なお、この場合の環状の線状凸部５８ａには、完全に環状になってなく、前面部５４の縁部で途切れているものも含むものとする。そして、外周側に位置する線状凸部５８ａにおける前面部５４の下側の縁部を除いた各縁部に到達している端部は、それぞれ上面部５１および側面部５２に形成された線状凸部５５ａ，５６ａの対応する端部と、前面部５４と、上面部５１および側面部５２のいずれかとが交わる縁部で繋がっている。この白鍵５０のそれ以外の部分の構成については、前述した白鍵１０と同一である。したがって、同一部分に同一符号を記して説明は省略する。
【００６０】
このように、本実施形態に係る白鍵５０では、上面部５１および両側面部５２に板目模様の凹凸からなる上面模様部５５および側面模様部５６を形成し、前面部５４に年輪模様の凹凸からなる前面模様部５８を形成している。そして、上面部５１、両側面部５２および前面部５４のうちの隣接する面に形成された線状部５５ａ，５６ａ，５８ａの端部どうしが隣接する面の縁部で交わるようにしている。このため、あたかも丸太の中心部分からなる本物の無垢材で白鍵５０を構成したかのような視覚と触覚とを得ることができる。この白鍵５０におけるそれ以外の作用効果については、前述した第１実施形態に係る白鍵１０と同様である。
【００６１】
なお、本実施形態も、前述した第１実施形態において説明した各変形例と同じように、変形することができる。また、本実施形態では、両側面模様部５６を構成する各線状凸部５６ａが、一方の側方から見た状態で略重なる位置にあるようにしているが、両側面模様部５６は、１本の木材の両側面に形成される模様として違和感を生じない範囲であれば互いにずれていてもよい。
【００６２】
さらに、前述した白鍵１０，２０，３０，４０，５０の上面後端には、それぞれ段部１１ｂが形成されているが、この段部１１ｂを設けずに、白鍵１０，２０，３０，４０，５０の上面は前端から後端にかけて連続した平面に形成してもよい。また、白鍵１０，２０，３０，４０，５０の前面部１４，２４，３４，４４，５４は、それぞれ上面部１１，２１，３１，４１，５１の先端縁部よりも後方部分から下方に延びて上面部１１，２１，３１，４１，５１の先端縁部が前面部１４，２４，３４，４４，５４よりも前方に突出しているが、この突出した部分は除去してもよい。
【符号の説明】
【００６３】
１０，２０，３０，４０，５０…白鍵、１１，２１，３１，４１，５１…上面部、１２，１３，２２，３２，３３，４２，４３，５２…側面部、１４，２４，３４，４４，５４…前面部、１５，２５，３５，４５，５５…上面模様部、１５ａ，１６ａ，１７ａ，１８ａ，２５ａ，２６ａ，２８ａ，２８ｂ，３５ａ，３６ａ，３７ａ，３８ａ，３８ｂ，４５ａ，４６ａ，４７ａ，４８ａ，５５ａ，５６ａ，５８ａ…線状凸部、１６，１７，２６，３６，３７，４６，４７，５６…側面模様部、１８，２８，３８，４８，５８…前面模様部。
【図１】
0005707781.tif 000002
【図２】
0005707781.tif 000003
【図３】
0005707781.tif 000004
【図４】
0005707781.tif 000005
【図５】
0005707781.tif 000006
【図６】
0005707781.tif 000007
【図７】
0005707781.tif 000008
【図８】
0005707781.tif 000009
【図９】
0005707781.tif 000010
【図１０】
0005707781.tif 000011
【図１１】
0005707781.tif 000012
【図１２】
0005707781.tif 000013
【図１３】
0005707781.tif 000014
【図１４】
0005707781.tif 000015
【図１５】
0005707781.tif 000016
【図１６】
0005707781.tif 000017